(57)【要約】  バネ表面の植毛加工装置は、ローディング部（１）、接着剤スプレー塗布部（２）、植毛部（３）、乾燥器部（４）、アンローディング部（５）、及び搬送チェーン（６）を含む。搬送チェーン（６）は、接着剤スプレー塗布部（２）、植毛部（３）、及び乾燥器部（４）を順次通過する。ローディング部（１）は、バネがフックに引っ掛かるようにバネを回転駆動する回転機構を備える。植毛部（３）は、静電気発生装置、繊維供給装置、ガイドレール、及び繊維供給管を備える。この装置の全工程は手動介入なしに行われ、これは操作の一貫性と安定性を最大限に保証して、バネの植毛加工の大規模な工業生産を達成する。
2021511209.tif 000002
【特許請求の範囲】
【請求項１】
ローディング部、アンローディング部、及び搬送チェーンを備え、
前記ローディング部は、バネがフックに引っ掛かるように前記バネを回転駆動する回転機構を備え、前記アンローディング部は、前記バネを回転駆動して前記フックから脱落させる回転機構を備え、前記搬送チェーン及び前記バネは、地面と平行な１つの平面上にあることを特徴とする、
バネ表面の植毛加工装置。
【請求項２】
接着剤スプレー塗布部、植毛部、及び乾燥器をさらに備え、
前記搬送チェーンは、前記接着剤スプレー塗布部、前記植毛部、及び前記乾燥器を順次通過することを特徴とする、請求項１に記載のバネ表面の植毛加工装置。
【請求項３】
前記接着剤スプレー塗布部は、ノズル、ノズルガイドレール、ノズルコントローラ、及び温度コントローラを含むことを特徴とする、請求項２に記載のバネ表面の植毛加工装置。
【請求項４】
前記植毛部は、静電気発生装置、繊維供給装置、ガイドレール、及び繊維供給管を備え、前記ガイドレールは、地面に対して垂直に配置され、前記静電気発生装置は、植毛されるバネに接続され、前記繊維供給装置は、接着剤がスプレー塗布されたバネ表面に繊維を供給することを特徴とする、請求項２に記載のバネ表面の植毛加工装置。
【請求項５】
前記ノズルは前記ノズルガイドレール上に配置され、前記ノズルコントローラが前記バネの長さを検知して前記ノズルの移動位置を調節することを特徴とする、請求項３に記載のバネ表面の植毛加工装置。
【請求項６】
前記搬送チェーンは、その上端及び下端に垂直に固定されたフックを備え、上端及び下端の前記フックは、可動ギア構造によって前記チェーンに連結されていることを特徴とする、請求項１に記載のバネ表面の植毛加工装置。
【請求項７】
前記繊維供給装置は、前記ガイドレールと前記搬送管とによって、前記静電気発生装置により生成された電界中に前記繊維を供給することを特徴とする、請求項４に記載のバネ表面の植毛加工装置。
【請求項８】
前記乾燥器の内部に、電気加熱装置が設けられていることを特徴とする、請求項２に記載のバネ表面の植毛加工装置。
【請求項９】
前記ノズルの３つのグループが設けられていることを特徴とする、請求項３に記載のバネ表面の植毛加工装置。
【請求項１０】
前記接着剤スプレー塗布部の内部に、光電制御装置が設けられていることを特徴とする、請求項２に記載のバネ表面の植毛加工装置。
【請求項１１】
前記繊維供給管が前記ガイドレール上に配置され、前記ガイドレールが前記地面に垂直に配置され、前記繊維供給管が上下に移動して前記バネ表面を繊維で覆うことを特徴とする、請求項７に記載のバネ表面の植毛加工装置。
【請求項１２】
前記電気加熱装置は、温度調節装置及び時間調節装置を備えることを特徴とする、請求項８に記載のバネ表面の植毛加工装置。
【請求項１３】
前記ノズルの３つのグループが、それらの間に１２０°の角度を成すことを特徴とする、請求項９に記載のバネ表面の植毛加工装置。
【請求項１４】
前記光電制御装置は、ノズルの移動位置を制御可能であることを特徴とする、請求項１０に記載のバネ表面の植毛加工装置。
【請求項１５】
前記光電制御装置は、バネの長さ情報を検知可能であることを特徴とする、請求項１０に記載のバネ表面の植毛加工装置。
【請求項１６】
前記繊維供給管の出口に、繊維の量を調節するための調節装置が設けられていることを特徴とする、請求項７に記載のバネ表面の植毛加工装置。
【請求項１７】
前記温度調節装置は、乾燥温度を自動的に検知して調節可能であることを特徴とする、請求項９に記載のバネ表面の植毛加工装置。
【請求項１８】
前記電界の下部に、繊維回収装置が設けられていることを特徴とする、請求項７に記載のバネ表面の植毛加工装置。
【請求項１９】
前記植毛部の上部に繊維貯蔵区画が設けられ、前記繊維貯蔵区画の下部に繊維出力ポートが設けられていることを特徴とする、請求項４に記載のバネ表面の植毛加工装置。
【請求項２０】
前記繊維出力ポートは、繊維の出力量を規制するために振動規制機構を備えることを特徴とする、請求項１９に記載のバネ表面の植毛加工装置。
【発明の詳細な説明】
【技術分野】
【０００１】
本発明は、バネ部品の分野に関し、特に、バネ表面に植毛加工する装置に関する。
【背景技術】
【０００２】
現在、市販されている電動テールゲートバネの植毛加工（flocking）は手動で行われているため、作業者や作業環境が異なると植毛効果に差が生じる。また、手動による植毛加工は、労働効率が低く、生産環境が悪くて、大規模生産を達成できない。このため、従来技術には、手動操作が安定性に乏しく大規模な工業生産を達成できないという欠点や、植毛作業環境に多くの繊維（flocks）が存在し、人間の健康に有害であるという欠点があった。
【発明の概要】
【０００３】
従来技術の上記欠点に鑑みて、本発明によって解決される技術的課題は、手動操作が安定性に乏しく、大規模な工業生産を達成することができないという従来技術の問題を克服すると共に、植毛作業環境に多くの繊維が存在し、人間の健康に有害であるという問題を解決することである。このようにして、人的要因が排除され、技術プロセスが安定し、植毛効果が一貫したものになるように、全自動化が実現される。また、大規模な工業生産が実現され、生産工程が密閉系であり、生産システム内で人体に有害な繊維が制御される。
【０００４】
上記目的を達成するために、本発明は、バネ表面の植毛加工装置を提供する。この装置は、ローディング部、アンローディング部、及び搬送チェーンを備える。ローディング部は、回転機構を備え、回転機構はバネがフックに引っ掛かるようにバネを回転駆動する。アンローディング部は、バネを回転駆動してフックから脱落させる回転機構を備える。搬送チェーン及びバネは、地面と平行な１つの平面上にある。
【０００５】
また、バネ表面の植毛加工装置は、接着剤スプレー塗布部、植毛部、及び乾燥器をさらに備え、搬送チェーンは、接着剤スプレー塗布部、植毛部、及び乾燥器を順次通過する。
【０００６】
また、接着剤スプレー塗布部は、ノズル、ノズルガイドレール、ノズルコントローラ、及び温度コントローラを含む。
【０００７】
また、植毛部は、静電気発生装置、繊維供給装置、ガイドレール、及び繊維供給管を備え、ガイドレールは地面に対して垂直に配置され、静電気発生装置は植毛されるバネに接続され、繊維供給装置は接着剤がスプレー塗布されたバネ表面に繊維を供給する。
【０００８】
また、ノズルはノズルガイドレール上に配置され、ノズルコントローラがバネの長さを検知してノズルの移動位置を調節する。
【０００９】
また、搬送チェーンは、その上端及び下端に垂直に固定されたフックを備え、上端及び下端のフックは、可動ギア構造によってチェーンに連結されている。
【００１０】
また、繊維供給装置は、ガイドレールと搬送管とによって、静電気発生装置により生成された電界中に繊維を供給する。
【００１１】
また、乾燥器の内部には、電気加熱装置が設けられている。
【００１２】
また、ノズルの３つのグループが設けられている。
【００１３】
また、接着剤スプレー塗布部の内部には、光電制御装置が設けられている。
【００１４】
また、繊維供給管がガイドレール上に配置され、ガイドレールが地面に垂直に配置され、繊維供給管が上下に移動してバネ表面を繊維で覆う。
【００１５】
また、電気加熱装置は、温度調節装置及び時間調節装置を備えている。
【００１６】
また、ノズルの３つのグループは、それらの間に１２０°の角度を成す。
【００１７】
また、光電制御装置は、ノズルの移動位置を制御することができる。
【００１８】
また、光電制御装置は、バネの長さ情報を検知することができる。
【００１９】
また、繊維供給管の出口には、繊維の量を調節するための調節装置が設けられている。
【００２０】
また、温度調節装置は、乾燥温度を自動的に検知して調節することができる。
【００２１】
また、電界の下部には、繊維回収装置が設けられている。
【００２２】
また、植毛部の上部には、繊維貯蔵区画が設けられ、繊維貯蔵区画の下部には繊維出力ポートが設けられている。
【００２３】
また、繊維出力ポートは、繊維の出力量を規制するために振動規制機構を備える。
【００２４】
本発明のバネ表面の植毛加工装置は、全自動の植毛加工ラインであり、ローディング及びアンローディングを除く全工程が手動介入なしに行われる。これにより、操作の一貫性及び安定性が最大限に保証され、手動植毛中の人的要因が排除されて、電動テールゲートバネの植毛加工のための大規模な工業生産が実現する。この自動植毛加工装置は、既存の手動装置の不安定さを最大限まで排除し、一貫した植毛加工後の外観と性能を達成すると同時に、電動テールゲートバネの植毛加工の大規模な工業生産が可能になるように、労働効率を大幅に改善する。また、現場では密閉作業を行うため、作業現場の衛生状態が向上し、植毛加工に使用する繊維も節約できる。
【００２５】
以下、本発明の目的、特徴及び効果を十分に理解するために、図面を参照して本発明の概念、具体的な構成及びその技術的効果について説明する。
【図面の簡単な説明】
【００２６】
【図１】本発明の１つの好適な実施形態に係る植毛加工装置の構成図である。
【発明を実施するための形態】
【００２７】
以下、本発明の好適な実施形態について、その技術的内容をより明確かつ理解しやすくするために、図面を参照しながら説明する。本発明は、様々な形態の実施形態で具現化することができ、本発明の保護範囲は、本明細書に記載された実施形態に限定されない。
【００２８】
図面において、同一の参照番号は、同一の構造を有する構成要素を示し、同様の参照番号は、全体を通して同様の構造又は機能を有するアセンブリを示す。図示されている各アセンブリのサイズ及び厚さは任意に示されており、本発明は各アセンブリのサイズ及び厚さを規定していない。図を分かり易くするために、図面の一部の構成要素の厚さは適切に誇張されている。
【００２９】
図１に示すように、この自動植毛加工ラインは、主に、ローディング部１、接着剤スプレー塗布部２、搬送チェーン６、静電植毛部３、乾燥器部４、アンローディング部５などで構成されている。接着剤スプレー塗布部２は、ノズル、ノズルガイドレール、ノズルコントローラ、及び温度コントローラで構成されている。ガイドレールは、地面に対して垂直に配置され、バネと整合されている。ノズルコントローラは、バネの長さを検知してノズルの移動位置を自動的に調節する。接着剤スプレー塗布環境全体の温度及び湿度は、温度コントローラにより制御される。植毛加工ラインの搬送は、全ラインにわたって全体として設計されており、ワークピースは上部フック及び下部フックによって搬送チェーン６に垂直に固定され、２つの端部のフックは可動ギア構造によってチェーンに連結されている。搬送チェーン６及びバネは、地面に平行な１つの平面上にある。静電植毛部３は、電界及び繊維供給装置で構成されており、繊維供給装置は、ガイドレールと搬送管とによって電界中に繊維を供給して、繊維の植え込みを完了する。電界の下部には、繊維回収装置が設けられている。また、バネの静電植毛装置の繊維出力ポートは、繊維の出力量を規制するために振動規制機構を備えている。バネの静電植毛装置３の上部には、繊維貯蔵区画が設けられ、繊維貯蔵区画の下部には繊維出力ポートが設けられている。乾燥器４の内部は電気加熱されており、乾燥器４を通過する際に、植毛加工されたバネが加熱され、接着剤が硬化されて、安定した植毛加工効果が得られる。
【００３０】
従来の手動の植毛加工の不安定さと低い生産能力の問題を緩和するために、このバネ用の自動植毛加工装置は、電動テールゲートバネ用に設計及び発明されている。この装置は総合的な設計を用いており、バネの植毛中の人間の影響を排除し、一貫した植毛効果を最大限に保証し、同時に大規模な工業生産を達成することができる。本発明の技術的解決手段は、主に以下の通りである。
【００３１】
この自動植毛加工ラインは、ローディング部１、接着剤スプレー塗布部２、静電植毛部３、乾燥器４、及びアンローディング部５を含む主に５つの部分で構成されている。フックによってバネが植毛加工ラインに垂直に配置される手順が、ローディング部１であり、この手順は手動で行われる。フックによってバネの上端及び下端が生産ラインの搬送チェーン６に掛けられる。光電スイッチがバネの通過を検知すると、ノズルが作動を開始し、ノズルの３つのグループにより接着剤スプレー塗布の手順が完了する。ノズルはガイドレール上に配置され、ガイドレールは地面に垂直に配置されており、バネが接着剤スプレー塗布２の持ち場に入ると、ノズルが上下に移動して接着されるバネ表面を覆う。光電スイッチによりフィードバックされたバネの長さ情報は、ノズルの移動位置を制御するために使用される。接着剤のスプレー塗布２の完了後、バネは植毛加工３の手順に入る。この手順では、繊維供給装置が、接着剤がスプレー塗布されたバネ表面に繊維を供給する役割を担い、植毛加工３が完了する。繊維供給管がガイドレール上に配置され、ガイドレールが地面に垂直に配置され、繊維供給管が上下に移動してバネ表面を繊維で完全に覆う。植毛加工の完了後、バネは乾燥器４に入り、乾燥器４は電気的に加熱されて、接着剤の乾燥温度及び時間を一定に制御する。異なる接着剤に対応する乾燥温度及び時間が、乾燥器４について調節され得る。加熱乾燥の完了後、バネがアンロードされ始める。この操作も手動で行われ、適切なオペレータが、バネの上端及び下端のフックを取り外してバネを取り外す。
【００３２】
自動植毛加工ラインの操作はかなり簡単であり、パラメータ設定後、バネのローディング１とアンローディング５のみを指示する必要があり、途中の手順は全て装置により自動的に完了する。
【００３３】
以上、本発明の具体的で好適な実施形態ついて詳細に説明した。当業者であれば、いかなる発明的努力を伴うことなく、本発明の概念に従って修正及び変形を行うことができることを理解されたい。したがって、当業者が、従来技術に基づき、本発明の概念に従って、論理分析、推論、又は限定された試行によって得ることができる任意の技術的解決手段は、特許請求の範囲の保護範囲内に含まれるべきである。
【図１】
2021511209.tif 000003
【国際調査報告】
2021511209.tif 000004
2021511209.tif 000005
2021511209.tif 000006
2021511209.tif 000007